(57)【要約】【課題】      個々のプリンタエンジンに最適な色材のり量を設定すること。【解決手段】  色材のり量を制御することが可能な画像形成装置は、画像を形成するための色材のり量と色材の飛び散り量との相関関係を求め、相関関係と画像に欠陥が発生する許容限界とから、画像を形成するための最大の色材のり量を決定する決定部と、決定部により決定された最大の色材のり量に基づき、画像形成を制御する画像形成パラメータを変更するパラメータ変更部と、パラメータ変更部により変更された画像形成パラメータによる画像処理に基づき、色材のり量を制御して画像を形成する制御部とを備えることを特徴とする。【選択図】  図４
2007121647.tif 000002
【特許請求の範囲】
【請求項１】
色材のり量を制御することが可能な画像形成装置であって、
画像を形成するための色材のり量と色材の飛び散り量との相関関係を求め、当該相関関係と画像に欠陥が発生する許容限界とから、当該画像を形成するための最大の色材のり量を決定する決定手段と、
前記決定手段により決定された最大の色材のり量に基づき、画像形成を制御する画像形成パラメータを変更するパラメータ変更手段と、
前記パラメータ変更手段により変更された画像形成パラメータによる画像処理に基づき、前記色材のり量を制御して画像を形成する制御手段と、
を備えることを特徴とする画像形成装置。
【請求項２】
色材の飛び散り量を求めるために、複数の色材のり量それぞれに対するパターンを格納する格納手段と、
前記パターンに基づく画像を形成して出力する画像出力手段と、
前記画像出力手段により出力された前記パターンに基づく画像を読み取る読取手段と、
前記読取手段により読み取られた前記画像と、前記格納手段に格納されている前記パターンとを比較して、発生している色材の飛び散り量を求める読取制御手段と、を更に備え、
前記決定手段は、前記読取制御手段により求められた前記色材の飛び散り量に基づき、前記色材のり量との相関関係を求めることを特徴とする請求項１に記載の画像形成装置。
【請求項３】
前記決定手段は、ＣＭＹＫの各色に対応した最大の色材のり量を決定することを特徴とする請求項１に記載の画像形成装置。
【請求項４】
予め設定されている画像形成パラメータに基づいて、入力された画像を処理する画像処理手段を更に備え、
前記画像処理手段は、
前記画像処理により求められる各部分画像における色材のり量に対応する色材の飛び散り量を前記相関関係から求め、当該色材の飛び散り量が許容範囲内に収まるか判定する
ことを特徴とする請求項１に記載の画像形成装置。
【請求項５】
前記色材の飛び散り量が許容範囲内に収まらないと判定される場合、前記画像処理手段は、対応する部分画像に対して、前記変更された画像形成パラメータを使用して画像処理を行う
ことを特徴とする請求項１または４に記載の画像形成装置。
【請求項６】
前記決定手段は、異なるパターンごとに、色材のり量と色材の飛び散り量との相関関係を求め、当該相関関係と画像に欠陥が発生する許容限界とから、当該画像を形成するための最大の色材のり量を決定することを特徴とする請求項１に記載の画像形成装置。
【請求項７】
前記パラメータ変更手段は、前記異なるパターンに対応する最大の色材のり量に基づき、画像形成パラメータを変更することを特徴とする請求項１に記載の画像形成装置。
【請求項８】
前記格納手段は、前記読取手段により読み取られた複数の異なるパターンを格納し、
前記画像処理手段は、前記入力された画像と前記格納手段により格納されている前記複数の異なるパターンとを比較して、一致する画像に対しては、前記変更された画像形成パラメータを使用して画像処理を行うことを特徴とする請求項２または４に記載の画像形成装置。
【請求項９】
前記異なるパターンには、異なる線幅または異なる色のパターンが含まれることを特徴とする請求項６乃至８のいずれかに記載の画像形成装置。
【請求項１０】
色材のり量を制御することが可能な画像形成装置の制御方法であって、
画像を形成するための色材のり量と色材の飛び散り量との相関関係を求め、当該相関関係と画像に欠陥が発生する許容限界とから、当該画像を形成するための最大の色材のり量を決定する決定工程と、
前記決定工程により決定された最大の色材のり量に基づき、画像形成を制御する画像形成パラメータを変更するパラメータ変更工程と、
前記パラメータ変更工程により変更された画像形成パラメータによる画像処理に基づき、前記色材のり量を制御して画像を形成する制御工程と、
を備えることを特徴とする画像形成装置の制御方法。
【請求項１１】
請求項１０に記載の画像形成装置の制御方法をコンピュータに実行させることを特徴とするプログラム。
【請求項１２】
請求項１１に記載のプログラムを格納したことを特徴とするコンピュータ可読の記憶媒体。
【発明の詳細な説明】
【技術分野】
【０００１】
本発明は、画像形成装置および画像形成装置の制御方法等に関する。
【背景技術】
【０００２】
情報処理装置で作成された電子データが電子写真カラー複合機に入力されると、電子データは、画像処理部により画像処理（色処理、γ補正、ディザ処理）が施される。そして、画像処理されたデータは、潜像、現像、転写、定着のプロセスを経て、トナーを用いた画像としてシート上に形成され、出力される。
【０００３】
ここで、画像形成の際、使用する総トナー量が多いとシートや転写ベルト上にトナーを重ねて転写すると、トナーが飛び散るという現象や、定着器にシートが通過する前後でトナーが飛び散るという現象が生じ得る。また、この他に微妙な温度や湿度の変化、感光ドラムやトナーや定着器の耐久枚数、シート媒体の種類によって、トナー電荷の変動や、転写効率が変動することによってトナーの飛び散りの発生状態も変化する (例えば、特許文献１を参照)。これらの変動要因があってもトナーの飛び散りを発生させないように、ピンポイントのトナー量を制限するための設定がなされている。
【０００４】
例えば、画像処理部は、トナーの飛び散りを防止するためにプリンタエンジンで載せるトナー量（これを、以下「トナーのり量」という。）を制限している。例えば、プリンタエンジンの制限により、トナーのり量が２５０％に制限された場合、ＣＭＹＫのトナーの総量は２.５色になるようにトナーのり量は制御される。
【特許文献１】特開平８−９８０４８号公報
【発明の開示】
【発明が解決しようとする課題】
【０００５】
しかしながら、装置が設置された環境の中には想定された環境より更に悪い場合がある。例えば、トナーのり量をトナーの飛び散りを抑制する制限値（２５０％）に抑えた設計においてもトナーの飛び散りが発生することもある。一方、非常によい環境で装置が使用されている場合、トナーのり量を係る制限値を超える３００％以上としてもトナーの飛び散りが発生しない場合もある。すなわち、装置が設置される環境が画像形成に適したものである場合、制限値以上のトナーのり量を設定しても、トナーの飛び散りは発生せず、更に広い色域を提供することが可能になる。
【０００６】
広い色域とは色再現の範囲が広いということでトナーのり量を多することで、色域を広げることが可能になるが、ピンポイントのトナーのり量の設定はトナーの飛び散り防止効果が不十分となり、色域を必要以上に制限することになる。
【０００７】
本発明は、上記の問題点を鑑み、個々のプリンタエンジンに最適な色材（トナー、またはインクを含む）のり量（色材の飛び散りや滲みを防止するためにプリンタエンジンで載せる色材量（以下「色材のり量」）を設定可能な画像形成技術の提供を目的とする。
【課題を解決するための手段】
【０００８】
上記目的を達成するべく、本発明に係る画像形成装置は、色材のり量を制御することが可能な画像形成装置であって、
画像を形成するための色材のり量と色材の飛び散り量との相関関係を求め、当該相関関係と画像に欠陥が発生する許容限界とから、当該画像を形成するための最大の色材のり量を決定する決定手段と、
前記決定手段により決定された最大の色材のり量に基づき、画像形成を制御する画像形成パラメータを変更するパラメータ変更手段と、
前記パラメータ変更手段により変更された画像形成パラメータによる画像処理に基づき、前記色材のり量を制御して画像を形成する制御手段と、
を備えることを特徴とする。
【発明の効果】
【０００９】
本発明に拠れば、個々のプリンタエンジンに最適な画像処理が可能なパラメータを、色材のり量と色材飛び散り量との相関関係に基づき設定することで、色材の飛び散りのない高画質な画像形成が可能になる。
【発明を実施するための最良の形態】
【００１０】
以下、図面の参照により本発明の実施形態を説明する。色材のり量と色材飛び散り量との相関関係に基づくパラメータの設定において、色材はトナーでもインクでもよい。以下の説明では、色材としてトナーの例を示しているが、本発明の趣旨はトナーに限定されるものではなく、インクの吐出に関しても適用可能であることは言うまでもない。
【００１１】
（第１実施形態）
図４は、本発明の本実施形態に係る画像形成装置４５０の構成を示すブロック図である。画像形成装置４５０のメモリ４０６には、トナーの飛び散り量を求めるために、複数のトナーのり量それぞれに対するパターン（図２）が格納されているものとする。
【００１２】
図２は、極細線から太線まで線幅を変えたパターンを、ＣＭＹＫ各色について、トナーのり量（ＣＭＹＫの信号量（色数を示す）、以下同様）を１００％から４００％載せて形成したパターンを例示する図である。トナーのり量１００％とは1色分のトナー（ＣＭＹＫ）をフルで載せたことを意味する。トナーのり量２００％とは、２色分のトナーを載せて形成したパターンを意味する。図２に示すパターンにおいて、トナーのり量の刻み幅を１００％単位で均等にしているが、最適なトナーのり量を求めるために、特定の領域、例えば、２００％前後の領域を細かく分割してパターンを形成するようにしてもよい。
【００１３】
図１Ａは、第１実施形態に係るトナーの飛び散り防止のためのパラメータ変更処理の流れを説明するフローチャートである。まず、ステップＳ１０１において、図２で説明したパターンを出力する。画像形成装置４５０の操作部４０３あるいは情報処理装置４６０及びインタフェース４１０より、エンジン制御部４０４を経由してメモリ４０６内に格納されているパターン（図２）を呼び出し、パターンに基づく画像を形成して画像出力部４０７により出力する。
【００１４】
尚、画像形成装置４５０は、ネットワークを介して情報処理装置４６０と接続することもの可能であり、情報処理装置４６０から送信された画像データに基づいて画像を形成して出力することも可能である。
【００１５】
ステップＳ１０２において、先のステップＳ１０１で出力したパターンを、読取制御部４０２の制御の下、読取部４０１が読み取る。
【００１６】
そして、ステップＳ１０３において、読取制御部４０２は、読取部４０１から入力された画像データとパターン（図２）との比較（パターンマッチング）に基づいてトナーの飛び散りが発生しているかを否かを判定する。そして、読取制御部４０２は、トナーの飛び散りが発生している場合はこれを定量化して図３に示すような、トナーのり量とトナー飛び散り量との相関関係を求める（相関図を作成する）。
【００１７】
図３に示す相関図において、横軸はトナーのり量(％)を示し、縦軸はトナー飛び散り量を示す。許容限界は予め設定されているデータであり、トナー飛び散り量が許容限界以上になると、ユーザクレームの対象となる画像欠陥（トナーの飛び散り）が発生していることになる。読取制御部４０２は、ＣＭＹＫ各色ごとに相関図を求めることが可能である。また、読取制御部４０２は、作成した相関図により、現在使用しているプリンタエンジンで許容されるトナーの最大のり量（図３のＴｍａｘ）を決定する。
【００１８】
ステップＳ１０４において、画像処理部４０５は、読取制御部４０２で決定されたトナーの最大のり量に基づき、画像処理部４０５で保持している画像形成を制御するパラメータをトナー飛び散り防止の最適なパラメータに変更する。
【００１９】
図１Ｂは、外部入力制御部４０８の制御の下に入力された画像を、変更されたパラメータ（画像形成パラメータ）に基づいて処理するための処理の流れを説明するフローチャートである。
【００２０】
図１ＢのステップＳ１１１において、画像形成装置４５０に印刷出力するための画像が入力された場合、処理はステップＳ１１２に進められる。
【００２１】
ステップＳ１１２において、画像処理部４０５は、保持している画像形成を制御する画像形成パラメータが変更されているか判定する。
【００２２】
ステップＳ１１２の判定により、画像形成パラメータが変更されている場合（Ｓ１１２−Ｙｅｓ）、画像処理部４０５は、図１ＡのステップＳ１０４で変更された画像形成パラメータを使用して画像処理を行う。
【００２３】
画像処理部４０５は、変更された画像形成パラメータに基づき、トナーの飛び散りを防止するためにプリンタエンジンで載せるトナーのり量を制限する。
【００２４】
一方、ステップＳ１１２の判定で、画像形成パラメータが変更されていない場合（Ｓ１１２−Ｎｏ）、処理はステップＳ１１４に進められる。そして、ステップＳ１１４において、画像処理部４０５は、予め設定されている画像形成パラメータを使用して画像処理を行う。
【００２５】
ステップＳ１１３またはＳ１１４で画像処理された結果は、エンジン制御部４０４へ出力され、エンジン制御部４０４は、画像処理部４０５で制限されたトナーのり量に従い、プリンタエンジンを制御する。そして、画像出力部４０７は、制御（制限）されたトナーのり量に従い入力された画像をシート媒体上に形成して出力する（Ｓ１１５）。
【００２６】
本実施形態に拠れば、個々のプリンタエンジンに最適な画像処理が可能なパラメータを、トナーのり量とトナー飛び散り量との相関関係に基づき設定することで、トナーの飛び散りのない高画質な画像形成が可能になる。
【００２７】
（第２実施形態）
次に、本発明の第２実施形態について説明する。本実施形態に係る画像形成装置の構成は第１実施形態で説明した図４の構成と同様であるため、詳細な説明は省略する。画像形成装置は図１Ａで説明したフローチャートに従い、トナーの飛び散り防止のためのパラメータ変更処理を行うが、入力された画像の部分的な領域単位にトナーの飛び散りの有無を判定する点において第１実施形態の構成と相違する。
【００２８】
画像形成装置４５０に入力された画像は、図５Ａに示すフローチャートに従い処理される。図５Ｂは、画像形成装置に入力される画像を例示する図である。５５０は１ページの画像が複数の部分領域（５５１〜５５４）に分割され、各領域の画像処理データに基づいて、トナーの飛び散りの有無が画像処理部４０５の制御の下、判定される。５６０は複数ページからなる画像を示し、各ページの画像処理データに基づいて、トナーの飛び散りの有無が画像処理部４０５の制御の下、判定される。
【００２９】
尚、画像処理部４０５によるトナーの飛び散りの判定は、図５Ｂ（ａ）、（ｂ）のパターンに限定されるものではなく、更に、図５Ｂ（ａ）及び（ｂ）を組み合わせた態様でトナーの飛び散りの有無を判定することも可能である。
【００３０】
ステップＳ５０１で、外部入力制御部４０８の制御の下、画像形成装置４５０に印刷出力するための画像（図５Ｂの５５０、５６０）が入力された場合、ステップＳ５０２に処理は進められる。
【００３１】
ステップＳ５０２において、画像処理部４０５は、予め設定されている画像形成パラメータを使用して画像処理を行う。
【００３２】
ステップＳ５０３において、画像処理部４０５は、画像処理の結果として求められる各部分画像のトナーのり量（ＣＭＹＫの信号量）に対応するトナーの飛び散り量を相関図（図３）から求める。そして、トナーの飛び散り量が許容範囲内に収まるか判定する。
【００３３】
ここで、画像処理の結果、求められる各部分画像は、例えば、図５Ｂの部分領域（５５１〜５５４）、または、複数ページを構成する各ページに対応する。
【００３４】
相関図から求めたトナーの飛び散り量が許容範囲内に収まっている場合、画像処理部４０５は、トナーの飛び散りは発生しないと判定する（Ｓ５０３−Ｙｅｓ）。そして、予め設定されている画像形成パラメータを使用した画像処理の結果は、エンジン制御部４０４へ出力される（Ｓ５０５）。
【００３５】
一方、ステップＳ５０３において、画像処理部４０５は、各部分画像のいずれかにおいて、相関図から求めたトナーの飛び散り量が許容範囲内に収まっていない場合、トナーの飛び散りが発生すると判定する（Ｓ５０３−Ｎｏ）。
【００３６】
ステップＳ５０４において、画像処理部４０５は、許容範囲内を超える部分画像に対して、図１ＡのステップＳ１０４により変更されている画像形成パラメータを使用して、画像処理を行う。また、許容範囲内にある他の部分画像源について、画像処理部４０５は、予め設定されている画像形成パラメータを使用して画像処理を行う。
【００３７】
図８は、メモリ４０６に格納されている画像形成パラメータのメモリマップを示す図である。メモリ４０６には、予め設定されている画像形成パラメータ８０１と、トナーのり量を制御するために変更された画像形成パラメータ８０２が格納されている。画像処理部４０５は、相関図から求めたトナーの飛び散り量が許容範囲内に収まっているか否かの判定結果に従い、使用する画像形成パラメータを選択して使用することが可能である。
【００３８】
例えば、図５Ｂに示す５５３、５６３において、トナーの飛び散り量が許容範囲内を超える場合、画像処理部４０５は、部分画像（５５３、５６３）について、画像形成パラメータ８０２を使用して画像処理を行う。また、許容範囲内にある他の部分画像について、画像処理部４０５は、予め設定されている画像形成パラメータ８０１を使用して画像処理を行う。
【００３９】
そして、ステップＳ５０２またはＳ５０４において画像処理された結果は、エンジン制御部４０４へ出力され、エンジン制御部４０４は、画像処理部４０５で制限されたトナーのり量に従い、プリンタエンジンを制御する。そして、画像出力部４０７は、制御（制限）されたトナーのり量に従い入力された画像をシート媒体上に形成して出力する（Ｓ５０５）。
【００４０】
本実施形態に拠れば、全体の画像に対してトナーのり量を一律に下げることなく、飛び散りの発生する可能性がある部分画像にのみトナーのり量の制限を加えることが可能になる。これにより、色再現の範囲を必要以上に狭めることなく、トナーの飛び散りを抑えることが可能になる。
【００４１】
個々のプリンタエンジンに最適な画像処理が可能なパラメータを、部分画像単位に設定することで、トナーの飛び散りのない高画質な画像形成が可能になる。
【００４２】
（第３実施形態）
次に、本発明の第３実施形態について説明する。本実施形態に係る画像形成装置の構成は第１実施形態で説明した図４の構成と同様であるため、詳細な説明は省略する。
【００４３】
図６Ａは、第３実施形態に係るトナーの飛び散り防止のためのパラメータ変更処理の流れを説明するフローチャートである。
【００４４】
まず、ステップＳ６０１において、図２で説明したパターンを出力する。画像形成装置４５０の操作部４０３あるいは情報処理装置４６０及びインタフェース４１０より、エンジン制御部４０４を経由してメモリ４０６内にあるパターン（図２）を呼び出し、画像出力部４０７により出力する。
【００４５】
そして、ステップＳ６０２において、先のステップＳ６０１で出力したパターンを、読取制御部４０２の制御の下、読取部４０１が読み取る。その際、出力したパターンもメモリ４０６に記憶しておく。
【００４６】
ステップＳ６０３において、読取制御部４０２は、読取部４０１から入力されたデータとパターン（図２）との比較に基づいてトナーの飛び散りが発生しているかを否かを判定する。そして、読取制御部４０２は、図７に示すような、トナーのり量とトナー飛び散り量との相関関係を、極細線、細線、中線、太線について求める（相関図を作成する）。
【００４７】
図７に示す相関図において、横軸はトナーのり量(％)を示し、縦軸はトナー飛び散り量を示す。許容限界は予め設定されているデータであり、トナー飛び散り量が許容限界以上になると、ユーザクレームの対象となる画像欠陥（トナーの飛び散り）が発生していることになる。異なる線幅に限定されず、読取制御部４０２は、ＣＭＹＫ各色ごとに相関図を求めることも可能である。
【００４８】
読取制御部４０２は、作成した相関図により、現在使用しているプリンタエンジンで許容されるトナーの最大のり量を決定する。図７に示す相関図は、線幅が細いほどトナーのり量が低い割合で許容限界を超える傾向にあることを示している。尚、線幅の種類は、図７に示す４種類に限定されるものではなく、画像形成において使用することが可能な線種、フォント及び文字種等から任意に変更することができるものとする。
【００４９】
読取制御部４０２は、線幅を例として作成した相関図（図７）により、現在使用しているプリンタエンジンで許容されるトナーの最大のり量を、各パターン（極細線、細線、中線、太線）に従い決定する。図７において、各パターンに対応する最大のり量は、Ｐ１、Ｐ２、Ｐ３、Ｐ４で示される。
【００５０】
ステップＳ６０４において、画像処理部４０５は異なる線幅のパターンに対応するトナーの最大のり量（Ｐ１〜Ｐ４）に基づき、予め設定されている画像形成パラメータをトナー飛び散り防止の最適な画像形成パラメータに変更する。
【００５１】
図９は、メモリ４０６に格納されている画像形成パラメータのメモリマップを示す図である。メモリ４０６には、予め設定されている画像形成パラメータ８０１と、トナーのり量を制御するために変更された、異なるパターンに対応した画像形成パラメータＡ〜Ｄ（９０１〜９０４）が格納されている。画像処理部４０５は、メモリ４０６に格納したパターンと一致する入力された画像を処理する際、係るパターンに対応する画像形成パラメータを選択して使用することが可能である。
【００５２】
例えば、極細線を処理する場合、画像処理部４０５は、変更された画像形成パターンＡ（９０１）を使用し、細線を処理する場合、変更された画像形成パターンＢ（９０２）を使用して画像処理を行う。
【００５３】
図６Ｂは、外部入力制御部４０８の制御の下に入力された画像を、変更された画像形成パラメータに基づいて処理するための処理の流れを説明するフローチャートである。
【００５４】
図６ＢのステップＳ６１１において、画像形成装置４５０に印刷出力するための画像が入力された場合、処理はステップＳ６１２に進められる。
【００５５】
ステップＳ６１２において、画像処理部４０５は、入力された画像に先のステップＳ６０２で記憶したパターンと一致するものがあるか判定する。
【００５６】
一致するパターンがある場合（Ｓ６１２−Ｙｅｓ）、処理はステップＳ６１３に進められ、一致するパターンに関して、画像処理部４０５は、変更されている画像形成パラメータを使用して画像処理を行う。画像処理部４０５は、変更された画像形成パラメータ（９０１または９０２等）に基づき、トナーの飛び散りを防止するためにプリンタエンジンで載せるトナーのり量を制限する。
【００５７】
一方、同じパターンがない場合（Ｓ６１２−Ｎｏ）、処理はステップＳ６１４に進められる。そして、ステップＳ６１４において、画像処理部４０５は、予め設定されている画像形成パラメータ（８０１）を使用して画像処理を行う。
【００５８】
ステップＳ６１３またはＳ６１４で画像処理された結果は、エンジン制御部４０４へ出力され、エンジン制御部４０４は、画像処理部４０５で制限されたトナーのり量に従い、プリンタエンジンを制御する。そして、画像出力部４０７は、制御（制限）されたトナーのり量に従い入力された画像をシート媒体上に形成して出力する（Ｓ６１５）。
【００５９】
本実施形態によれば、トナーの飛び散りがほとんどない線幅（面積）の広い画像データに対応する部分では色域を広くした画像処理を施すことが可能になる。
【００６０】
また、トナーの飛び散りが発生しやすい、線幅の細い画像データに対応する部分では、トナーの飛び散りが発生しないように最適なパラメータを設定することが可能になる。
【００６１】
個々のプリンタエンジンに最適な画像処理が可能なパラメータを、トナーのり量とトナー飛び散り量との相関関係に基づき設定することで、トナーの飛び散りのない高画質な画像形成が可能になる。
【００６２】
（他の実施形態）
なお、本発明の目的は、前述した実施形態の機能を実現するソフトウェアのプログラムコードを記録した記憶媒体を、システムあるいは装置に供給することによっても、達成されることは言うまでもない。また、システムあるいは装置のコンピュータ（またはＣＰＵやＭＰＵ）が記憶媒体に格納されたプログラムコードを読出し実行することによっても、達成されることは言うまでもない。
【００６３】
この場合、記憶媒体から読出されたプログラムコード自体が前述した実施形態の機能を実現することになり、そのプログラムコードを記憶した記憶媒体は本発明を構成することになる。
【００６４】
プログラムコードを供給するための記憶媒体としては、例えば、フレキシブルディスク，ハードディスク，光ディスク，光磁気ディスク，ＣＤ−ＲＯＭ，ＣＤ−Ｒ，不揮発性のメモリカード，ＲＯＭなどを用いることができる。
【００６５】
また、コンピュータが読出したプログラムコードを実行することにより、前述した実施形態の機能が実現される。また、プログラムコードの指示に基づき、コンピュータ上で稼働しているＯＳ（オペレーティングシステム）などが実際の処理の一部または全部を行い、その処理によって前述した実施形態が実現される場合も含まれることは言うまでもない。
【図面の簡単な説明】
【００６６】
【図１Ａ】第１実施形態に係るトナーの飛び散り防止のためのパラメータ変更処理の流れを説明するフローチャートである。
【図１Ｂ】入力された画像を、変更されたパラメータに基づいて処理するための処理の流れを説明するフローチャートである。
【図２】細線から太線まで線幅を変えたパターンを、ＣＭＹＫ各色について、トナーのり量を１００％から４００％載せて形成したパターンを例示する図である。
【図３】第１実施形態におけるトナーのり量と飛び散り量との相関関係を示す図である。
【図４】第１乃至第３実施形態に係る画像形成装置の構成を示すブロック図である。
【図５Ａ】第２実施形態に係る画像形成装置に入力された画像の処理の流れを説明するフローチャートである。
【図５Ｂ】第２実施形態に係る画像形成装置に入力される画像を例示する図である。
【図６Ａ】第３実施形態に係るトナーの飛び散り防止のためのパラメータ変更処理の流れを説明するフローチャートである。
【図６Ｂ】入力された画像を、変更されたパラメータに基づいて処理するための処理の流れを説明するフローチャートである。
【図７】第３実施形態におけるトナーのり量と飛び散り量との相関関係を示す図である。
【図８】第２実施形態に係るメモリに格納されている画像形成パラメータのメモリマップを示す図である。
【図９】第３実施形態に係るメモリに格納されている画像形成パラメータのメモリマップを示す図である。
【図１Ａ】
2007121647.tif 000003
【図１Ｂ】
2007121647.tif 000004
【図２】
2007121647.tif 000005
【図３】
2007121647.tif 000006
【図４】
2007121647.tif 000007
【図５Ａ】
2007121647.tif 000008
【図５Ｂ】
2007121647.tif 000009
【図６Ａ】
2007121647.tif 000010
【図６Ｂ】
2007121647.tif 000011
【図７】
2007121647.tif 000012
【図８】
2007121647.tif 000013
【図９】
2007121647.tif 000014